(57)【要約】【課題】音節を表す表音文字で表される単語についての文字（音）と単語の関係を容易に学習するための国語学習用カード、及び該国語学習用カードを作成するためのコンピュータプログラムを提供すること。【解決手段】表面に３音節の単語が印刷された中央矩形部１、裏面に３音節の単語を表す画像が印刷された右方矩形部２ａ、裏面に第１音節を表す文字が上下逆に印刷された上方矩形部２ｂ、裏面に第２音節を表す文字が印刷された左方矩形部２ｃ及び裏面に第３音節を表す文字が上下逆に印刷された下方矩形部２ｄを備えた国語学習用カードＣを提供する。学習者は、最初に単語を表す画像を見て、その後、音節の順に文字を見て、最後に単語を見ることができる。３音節により単語となることを効率的に学ぶことができる。画像と単語のデータから、国語学習用カードＣを印刷するコンピュータプログラムを提供する。【選択図】図１
2020026125.tif 000002
【特許請求の範囲】
【請求項１】
中央矩形部と、
前記中央矩形部の右辺にその左辺を近接する前記中央矩形部と同大同形の右方矩形部と、
前記中央矩形部の上辺にその下辺を近接する前記中央矩形部と同大同形の上方矩形部と、
前記中央矩形部の左辺にその右辺を近接する前記中央矩形部と同大同形の左方矩形部と、
前記中央矩形部の下辺にその上辺を近接する前記中央矩形部と同大同形の下方矩形部とを備え、
前記中央矩形部の表面、裏面又はその両方に３音節の単語が表音文字で印刷され、
前記右方矩形部、前記上方矩形部、前記左方矩形部及び前記下方矩形部の裏面に、前記３音節の単語を表す画像、前記３音節の単語の第１音節を表す表音文字、前記３音節の単語の第２音節を表す表音文字及び前記３音節の単語の第３音節を表す表音文字が１つずつ印刷され、
前記上方矩形部及び前記下方矩形部の印刷は上下逆にされていることを特徴とする、国語学習用カード。
【請求項２】
前記右方矩形部、前記上方矩形部、前記左方矩形部及び前記下方矩形部は、前記中央矩形部に１辺の全てを接していることを特徴とする、請求項１に記載の国語学習用カード。
【請求項３】
前記右方矩形部、前記上方矩形部、前記左方矩形部及び前記下方矩形部の前記３音節の単語を表す画像の印刷されるものを含む少なくとも１と、前記中央矩形部との間に、短辺の長さがカードの厚みの３倍に１ｃｍを加えた値以下であり、長辺が前記中央矩形部と前記右方矩形部、前記上方矩形部、前記左方矩形部又は前記下方矩形部に接する接続矩形部を備えることを特徴とする、請求項１に記載の国語学習用カード。
【請求項４】
前記中央矩形部、前記右方矩形部、前記上方矩形部、前記左方矩形部及び前記下方矩形部は、正方形形状であることを特徴とする、請求項１〜３のいずれか１項に記載の国語学習用カード。
【請求項５】
前記３音節の単語を表す画像及び前記３音節の単語の第２音節を表す表音文字は、前記上方矩形部及び前記下方矩形部、又は、前記左方矩形部及び前記右方矩形部に印刷されることを特徴とする、請求項１〜４のいずれか１項に記載の国語学習用カード。
【請求項６】
前記３音節の単語を表す画像は前記右方矩形部に、前記３音節の単語の第１音節を表す表音文字は前記上方矩形部に、前記３音節の単語の第２音節を表す表音文字は前記左方矩形部に、前記３音節の単語の第３音節を表す表音文字は前記下方矩形部に、それぞれ印刷されることを特徴とする、請求項５に記載の国語学習用カード。
【請求項７】
請求項１〜６のいずれか１項に記載の国語学習用カードを作成するためのコンピュータプログラムであって、
前記３音節の単語を表す画像と、前記３音節の単語を表す表音文字とを少なくとも入力し、
前記中央矩形部、前記右方矩形部、前記上方矩形部、前記左方矩形部及び前記下方矩形部の位置及びサイズのデータに基づいて、前記中央矩形部の表面、裏面又はその両方に３音節の単語を表す表音文字を印刷し、
前記右方矩形部、前記上方矩形部、前記左方矩形部及び前記下方矩形部の裏面に、前記３音節の単語を表す画像、前記３音節の単語の第１音節を表す表音文字、前記３音節の単語の第２音節を表す表音文字及び前記３音節の単語の第３音節を表す表音文字、を１つずつ印刷し、
前記上方矩形部及び前記下方矩形部については上下逆に印刷することを特徴とする、コンピュータプログラム。
【発明の詳細な説明】
【技術分野】
【０００１】
本発明は、表音文字で表される単語についての文字（音）と単語の関係を容易に学習するための国語学習用カード、及び該国語学習用カードを作成するためのコンピュータプログラムに関する。
【背景技術】
【０００２】
折畳まれたカードを開いたり重ねられたカードをめくったりすることで見える内容が変化することを利用して学習効果を高めるカードが、例えば特許文献１、２に開示されている。
【０００３】
学習効果は、学習対象に依存して、いかなる情報をいかに見せるかによって相違する。すなわち、学習対象に依存してカードの最適な構成は変動する。
【０００４】
ここで、表音文字で表される単語についての文字（音）と単語の関係を容易に学習するためのカードは、知られていなかった。すなわち、そのためのカードの最適な構成も知られていなかった。
【先行技術文献】
【特許文献】
【０００５】
【特許文献１】特開２０１５−００１５７３号公報
【特許文献２】実用新案登録３１４３４６３号公報
【発明の概要】
【発明が解決しようとする課題】
【０００６】
本発明は、音節を表す表音文字で表される単語についての文字（音）と単語の関係を容易に学習するための国語学習用カード、及び該国語学習用カードを作成するためのコンピュータプログラムを提供することを課題とする。
【課題を解決するための手段】
【０００７】
表音文字を用いる言語は数多くあるが、各々の表音文字が１音節を表すものは少ない。英語等の欧米の言語では、子音と母音とが別々の文字である。日本語と朝鮮語とが、かかる言語である。
【０００８】
各々の表音文字が１音節を表す言語においては、複数の表音文字を連ねて表される単語の発音が、各々の表音文字を読む発音を連続したものと同一である。例えば、日本語の単語「すいか」の発音は、各々の表音文字「す」「い」「か」の発音を連続したものである。
【０００９】
すなわち、単語内の各々の表音文字を音として認識し、それを連ねたものが単語を構成することを学習する、という手順によって単語の学習効果を上げることができる。
【００１０】
本発明は、単語を表す画像（単語が名詞である場合には、その名詞の表す物の画像）を見せ、その後に単語内の各々の表音文字を単語内の順番で見せ、最後に単語を文字で見せることによって、単語の学習効果を上げる。
【００１１】
本発明の国語学習用カードは、
中央矩形部と、
前記中央矩形部の右辺にその左辺を近接する前記中央矩形部と同大同形の右方矩形部と、
前記中央矩形部の上辺にその下辺を近接する前記中央矩形部と同大同形の上方矩形部と、
前記中央矩形部の左辺にその右辺を近接する前記中央矩形部と同大同形の左方矩形部と、
前記中央矩形部の下辺にその上辺を近接する前記中央矩形部と同大同形の下方矩形部とを備え、
前記中央矩形部の表面、裏面又はその両方に３音節の単語が表音文字で印刷され、
前記右方矩形部、前記上方矩形部、前記左方矩形部及び前記下方矩形部の裏面に、前記３音節の単語を表す画像、前記３音節の単語の第１音節を表す表音文字、前記３音節の単語の第２音節を表す表音文字及び前記３音節の単語の第３音節を表す表音文字が１つずつ印刷され、
前記上方矩形部及び前記下方矩形部の印刷は上下逆にされていることを特徴とする。
【００１２】
この特徴によれば、３音節の単語が中央矩形部の表面に印刷されている場合には、中央矩形部の上に、右方矩形部、上方矩形部、左方矩形部及び下方矩形部を重ねて折畳み、単語を表す画像、第１音節を表す表音文字、第２音節を表す表音文字、第３音節を表す表音文字、３音節の単語を、この順に見せることができる。３音節の単語が中央矩形部の裏面に印刷されている場合の効果については、後述する。また、右方矩形部、上方矩形部、左方矩形部及び下方矩形部については、中央矩形部に対する接続が保たれ折畳むことができれば、厳密な矩形形状でなくともよい。例えば、中央矩形部から離間した２つの頂点を丸めた形状として角（使用時に指を傷める原因となり得る）をなくすことができる。
【００１３】
本発明の国語学習用カードは、
前記右方矩形部、前記上方矩形部、前記左方矩形部及び前記下方矩形部は、前記中央矩形部に１辺の全てを接していることを特徴とする。
【００１４】
この特徴によれば、接している辺を折畳んで、上述の効果を得ることができる。
【００１５】
本発明の国語学習用カードは、
前記右方矩形部、前記上方矩形部、前記左方矩形部及び前記下方矩形部の前記３音節の単語を表す画像の印刷されるものを含む少なくとも１と、前記中央矩形部との間に、短辺の長さがカードの厚みの３倍に１ｃｍを加えた値以下であり、長辺が前記中央矩形部と前記右方矩形部、前記上方矩形部、前記左方矩形部又は前記下方矩形部に接する接続矩形部を備えることを特徴とする。
【００１６】
この特徴によれば、接続矩形部によって右方矩形部、上方矩形部、左方矩形部及び下方矩形部を中央矩形部に対して上方に浮かせることができる。カードの厚みが大きい場合にも、自然に折畳むことができる。厚紙を用いてしっかりしたカードとすることができる。右方矩形部、上方矩形部、左方矩形部及び下方矩形部のうち最上のものは、中央矩形部との間に３枚のカードが存在する。このため、接続矩形部の短辺がカードの厚みの３倍程度であることが好ましい。接続矩形部の短辺に余裕があると折畳む作業が容易になるので、１ｃｍ以下の余裕を持たせる。
【００１７】
本発明の国語学習用カードは、
前記中央矩形部、前記右方矩形部、前記上方矩形部、前記左方矩形部及び前記下方矩形部は、正方形形状であることを特徴とする。
【００１８】
この特徴によれば、正方形形状の整然とした印象のカードとすることができる。
【００１９】
本発明の国語学習用カードは、
前記３音節の単語を表す画像及び前記３音節の単語の第２音節を表す表音文字は、前記上方矩形部及び前記下方矩形部、又は、前記左方矩形部及び前記右方矩形部に印刷されることを特徴とする。
【００２０】
この特徴によれば、３音節の単語を表す画像と３音節の単語の第２音節を表す表音文字とが、中央矩形部の向かい合う辺に接する２の矩形部に印刷される。単語を表す画像、第１音節を表す表音文字、第２音節を表す表音文字、第３音節を表す表音文字が中央矩形部に対して時計回り又は反時計回りに順に並ぶので、カードを折畳む操作がわかりやすい。
【００２１】
本発明の国語学習用カードは、
前記３音節の単語を表す画像は前記右方矩形部に、前記３音節の単語の第１音節を表す表音文字は前記上方矩形部に、前記３音節の単語の第２音節を表す表音文字は前記左方矩形部に、前記３音節の単語の第３音節を表す表音文字は前記下方矩形部に、それぞれ印刷されることを特徴とする。
【００２２】
この特徴によれば、単語を表す画像、第１音節を表す表音文字、第２音節を表す表音文字、第３音節を表す表音文字が中央矩形部に対して表面から見て反時計回りに順に並ぶ。折畳まれた状態から最初に開く単語を表す画像の印刷された矩形部が右方矩形部となり、本の表紙を開く時と同じ向きに開くことになる。使いやすいカードとすることができる。
【００２３】
本発明のコンピュータプログラムは、
本発明の国語学習用カードを作成するためのコンピュータプログラムであって、
前記３音節の単語を表す画像と前記３音節の単語を表す表音文字とを少なくとも入力し、
前記中央矩形部、前記右方矩形部、前記上方矩形部、前記左方矩形部及び前記下方矩形部の位置及びサイズのデータに基づいて、
前記中央矩形部の表面、裏面又はその両方に３音節の単語を表す表音文字を印刷し、
前記右方矩形部、前記上方矩形部、前記左方矩形部及び前記下方矩形部の裏面に、前記３音節の単語を表す画像、前記３音節の単語の第１音節を表す表音文字、前記３音節の単語の第２音節を表す表音文字及び前記３音節の単語の第３音節を表す表音文字、を１つずつ印刷し、
前記上方矩形部及び前記下方矩形部については上下逆に印刷することを特徴とする。
【００２４】
この特徴によれば、コンピュータプログラムによって本発明の国語学習用カードを作成することができる。単語を表す画像と単語を表す表音文字とを含むデータを用意するのみでカードを作成することができるので、教育者は、学習させたい単語についてのカードを教育目的に合わせて自ら作成することができる。また、印刷枚数を調整して、生徒の人数分だけ作成することもできる。ここで「印刷」とは、必ずしも用紙にインクを付することに限定されず、広く用いられているプリンタソフトウエアのように例えばｐｄｆ形式のファイルを出力することも含む。
【発明の効果】
【００２５】
本発明の国語学習用カードによれば、各々の表音文字が１音節を表す言語の３音節の単語について、単語を表す画像（単語が名詞である場合には、その名詞の表す物の画像）を見せ、その後に単語内の各々の表音文字を単語内の順番で見せ、最後に単語を文字で見せることができる。単語内の各々の表音文字を音として認識し、それを連ねたものが単語を構成することを学習する、という手順によって単語の学習効果を上げることができる。
【００２６】
本発明のコンピュータプログラムによれば、本発明の国語学習用カードを容易に作成することができる。
【図面の簡単な説明】
【００２７】
【図１】図１は、国語学習用カードの構成を説明する図である。
【図２】図２は、国語学習用カードの構成の変形を示す図である。
【図３】図３は、国語学習用カードの外観を示す図である。
【図４】図４は、国語学習用カードの別の外観を示す図である。
【図５】図５は、国語学習用カードの印刷のバリエーションを示す図である。
【図６】図６は、国語学習用カードの印刷の別のバリエーションを示す図である。
【図７】図７は、国語学習用カードの印刷のさらに別のバリエーションを示す図である。
【図８】図８は、国語学習用カードの使用方法を示す図である。
【図９】図９は、国語学習用カードに印刷される単語のバリエーションを示す図である。
【図１０】図１０は、コンピュータプログラムのフローチャートである。
【図１１】図１１は、裏面処理サブルーチンのフローチャートである。
【図１２】図１２は、各サブルーチンのフローチャートである 。
【図１３】図１３は、矩形部のサイズ及び矩形部の位置の例を示す図である。
【発明を実施するための形態】
【００２８】
以下、本発明の実施例について説明する。
【００２９】
図１は、国語学習用カードの構成を説明する図である。国語学習用カードＣは、中央矩形部１、右方矩形部２ａ、上方矩形部２ｂ、左方矩形部２ｃ、下方矩形部２ｄ、接続矩形部、及び接続矩形部３ａ、３ｂ、３ｃ、３ｄを備えている。
【００３０】
図１（Ａ）に示す国語学習用カードＣの表面には、中央矩形部１に３音節の単語（本実施例では「あひる」）が印刷されている。なお、縦書きでなく横書きで印刷されてもよい。
【００３１】
図１（Ｂ）に示す国語学習用カードＣの裏面には、右方矩形部２ａに単語を表す画像が印刷され、上方矩形部２ｂに第１音節を表す表音文字が印刷され、左方矩形部２ｃに第２音節を表す表音文字が印刷され、下方矩形部２ｄに第３音節を表す表音文字が印刷されている。
【００３２】
ここで、上方矩形部２ｂ及び下方矩形部２ｄについては、上下逆に印刷されている。
【００３３】
接続矩形部３ａ、３ｂ、３ｃ、３ｄは、それぞれ、右方矩形部２ａ、上方矩形部２ｂ、左方矩形部２ｃ、下方矩形部２ｄを、中央矩形部１に対して上方に浮かせる。なお、接続矩形部３ａ、３ｂ、３ｃ、３ｄの長辺を、中央矩形部１の辺と同長の（中央矩形部１の辺全体に接する）ものとして描いているが、中央矩形部１の辺よりも短い（中央矩形部１の辺の一部のみに接する）ものであってもよい。
【００３４】
図２は、国語学習用カードの構成の変形を示す図である。図１では正方形であった中央矩形部１、右方矩形部２ａ、上方矩形部２ｂ、左方矩形部２ｃ及び下方矩形部２ｄが長方形となったものである。このように、矩形部を長方形とすることもできる。
【００３５】
図３は、国語学習用カードの外観を示す図である。接続矩形部３ａ、３ｂ、３ｃ、３ｄの幅（短編の長さ、すなわち右方矩形部２ａ、上方矩形部２ｂ、左方矩形部２ｃ又は下方矩形部２ｄと中央矩形部１との距離であり、上方に浮かせる高さとなる）は、中央矩形部１の１辺の長さに比して、極めて小さいと考えられる。視覚的に見せる中央矩形部１の１辺の長さは５０ｍｍ以上と考えられ、最大で厚みの３倍（右方矩形部２ａ、上方矩形部２ｂ、左方矩形部２ｃ又は下方矩形部２ｄのうち、単語を表す画像が印刷されたものは、それと中央矩形部１との間に３つの他の矩形部を折畳まれる）で十分な接続矩形部３ａ、３ｂ、３ｃ、３ｄの幅は、カードが厚紙でない限り１ｍｍ未満となるためである。そこで、接続矩形部３ａ、３ｂ、３ｃ、３ｄをなくして、右方矩形部２ａ、上方矩形部２ｂ、左方矩形部２ｃ及び下方矩形部２ｄが中央矩形部１に接しているものとして描いたものが、図３である。実際に、接続矩形部３ａ、３ｂ、３ｃ、３ｄのない図３のとおりの国語学習用カードとしても、問題なく使用できる。以下、特に必要な場合を除き、接続矩形部３ａ、３ｂ、３ｃ、３ｄのない国語学習用カードとして説明する。
【００３６】
図４は、国語学習用カードの別の外観を示す図である。図３では縦書きであった中央矩形部１に印刷されている３音節の単語が、横書きである。
【００３７】
図５は、国語学習用カードの印刷のバリエーションを示す図である。図１〜図４においては、図５（Ａ）のように、右方矩形部２ａに単語を表す画像が印刷され、上方矩形部２ｂに第１音節を表す表音文字が印刷され、左方矩形部２ｃに第２音節を表す表音文字が印刷され、下方矩形部２ｄに第３音節を表す表音文字が印刷されていた。単語を表す画像が、第１音節を表す表音文字、第２音節を表す表音文字及び第３音節を表す表音文字を、右方矩形部２ａ、上方矩形部２ｂ、左方矩形部２ｃ及び下方矩形部２ｄのいずれに印刷してもよい。カードを折畳む順序を替えて、単語を表す画像、第１音節を表す表音文字、第２音節を表す表音文字、第３音節を表す表音文字の順に見せることができる。図５（Ｂ）〜（Ｄ）に、印刷のバリエーションを示す。
【００３８】
ここで、図５（Ａ）、（Ｂ）に示すように、単語を表す画像と第２音節を表す表音文字とが、中央矩形部の向かい合う辺に接する２の矩形部に印刷されることが好ましい。単語を表す画像、第１音節を表す表音文字、第２音節を表す表音文字、第３音節を表す表音文字が中央矩形部に対して時計回り又は反時計回りに順に並ぶので、カードを折畳む操作がわかりやすいからである。ただし、図５（Ｃ）及び（Ｄ）に示すものも、本発明の目的を達成することができる。
【００３９】
また、図３に示した外観のカードでは、図５（Ａ）及び（Ｂ）に示すように、単語を表す画像が右方矩形部２ａに印刷されることが好ましい。折畳まれた状態から最初に開く単語を表す画像の印刷された右方矩形部２ａは、本の表紙を開く時と同じ向きに開くので、使いやすいカードとすることができるからである。
【００４０】
そして、図４に示した外観のカードでは、図５（Ｃ）に示すように、単語を表す画像が左方矩形部２ｃに印刷されることも好ましい。折畳まれた状態から最初に開く単語を表す画像の印刷された左方矩形部２ｃは、文章が横書きの文字（例えば英語）で印刷された本の表紙を開く時と同じ向きに開くので、中央矩形部１に印刷されている３音節の単語が横書きである場合には、これも使いやすいカードとすることができるからである。
【００４１】
図６は、国語学習用カードの印刷の別のバリエーションを示す図である。図６を、図３と比較すると、図３では中央矩形部１の表面に印刷されている３音節の単語が、図６では中央矩形部１の裏面に印刷されている。
【００４２】
図６に示した国語学習用カードは、折畳んだままで全体を裏返すことにより、第１〜第３音節を表す表音文字を見ずに３音節の単語が見える。音節毎の各々の文字、単語の順で見ることなく単語のみを見て連続する音（おん）の構成が理解できる、学習の進んだ学習者に適したものとなる。
【００４３】
また、折畳まれた箇所を開かずに、画像と単語とが表裏に印刷されたカードとなる。例えばカルタのようにして使用し、学習効果を高めることができる。
【００４４】
図７は、国語学習用カードの印刷のさらに別のバリエーションを示す図である。中央矩形部１の表面及び裏面の両方に３音節の単語が印刷されている。図３に示した国語学習用カードと、図６に示した国語学習用カードとの両方の効果を合わせ持つものとなる。ただし、音節毎の各々の文字、単語の順で見ることを保証したい場合には、図３に示した国語学習用カードがより好ましい。
【００４５】
図３に示した国語学習用カード、図６に示した国語学習用カード、図７に示した国語学習用カードは、それぞれの利点があるので、教育目的に応じて選択すればよい。
【００４６】
図８は、国語学習用カードの使用方法を示す図である。図３に示した国語学習用カードを順次折畳む状態を、（Ａ）〜（Ｅ）の順に示したものである。なお、図６に示した国語学習用カード、図７に示した国語学習用カードでも同様である。（Ａ）の状態から始め、まず、下方矩形部２ｄを折りたたむと、第３音節を表す表音文字「る」の見える（Ｂ）の状態となる。この時、「る」の文字が正しい方向に見えるよう、下方矩形部２ｄは上下逆に印刷されている。
【００４７】
次に、左方矩形部２ｃを折りたたむと、第２音節を表す表音文字「ひ」の見える（Ｃ）の状態となる。次に、上方矩形部２ｂを折りたたむと、第１音節を表す表音文字「あ」の見える（Ｄ）の状態となる。この時、「あ」の文字が正しい方向に見えるよう、上方矩形部２ｂは上下逆に印刷されている。最後に、右方矩形部２ａを折りたたむと、単語を表す画像の見える（Ｅ）の状態となる。
【００４８】
学習時には、折畳んだ時とは逆順に開くこととなる。学習者は、図８において（Ｅ）から（Ａ）に向けてカードを見ることとなる。最初に、単語を表す画像を見て「あひる」であると理解する。その後、「あ」「ひ」「る」の順に文字を見る。最後に「あひる」の単語を見る。
【００４９】
以上の学習により、「あ」「ひ」「る」の３音節により「あひる」という単語となることを効率的に学ぶことができる。単語が、連続する音（おん）によって構成されていることによって、意味を持つ言葉を表意することを、画像、音節毎の各々の文字、単語の順で見る際の、見る内容の連続性により、容易に理解することができる。
【００５０】
図９は、国語学習用カードに印刷される単語のバリエーションを示す図である。図９（Ａ）に示すように、濁音（本例では「ず」）は、濁点のついた１文字として扱うことができる。また、図９（Ｂ）に示すように、拗音（本例では「しょ」）は、２文字が１音節を表すものとして扱うことができる。
【００５１】
以上、国語学習用カードについて説明した。以下、国語学習用カードを作成するためのコンピュータプログラムについて説明する。
【００５２】
図１０は、コンピュータプログラムのフローチャートである。コンピュータプログラムは、画像と単語文字列を入力し、国語学習用カードを印刷するものである。
【００５３】
ここで、サブルーチンの詳細について、裏面処理サブルーチンのフローチャートを図１１に、表面処理サブルーチンのフローチャートを図１２（Ａ）に、出力処理サブルーチンのフローチャートを図１２（Ｂ）に、フォントサイズ設定処理サブルーチンのフローチャートを図１２（Ｃ）に、それぞれ示す。
【００５４】
印刷する位置の情報として、矩形部のサイズ（縦横それぞれの長さ）及び矩形部の位置（例えば左上の頂点の座標）が保存されている。コンピュータプログラムは、この情報に基づいて、印刷すべき画像を生成する。通常は、カードの厚みが小さいので、図３に示したとおりの矩形部のサイズ及び矩形部の位置とすればよい。
【００５５】
コンピュータプログラムは、国語学習用カードを構成するのに必要なデータを用いて、国語学習用カードを印刷する。必要なデータとしては、以下のものがある。（１）３音節の単語を表す画像、（２）３音節の単語を表す表音文字（各々の音節に分解した文字の集合体、一連の１つの文字列、これらの両方のいずれでもよい）、（３）各矩形部のサイズ及び位置、（４）いずれの矩形部にいずれの文字又は画像を印刷するか（図５に示したように数多くあるバリエーションのいずれか、及び、３音節の単語を中央矩形部１の表面／裏面のいずれに印刷するか否か。）、（５）中央矩形部１に印刷される３音節の単語の縦書き／横書きの別、（６）矩形部の外形線を表面、裏面のそれぞれに描くか否か。（７）表音文字のフォントサイズ（各々の音節に共通、または音節ごとのいずれでもよい）
【００５６】
ここで、（４）いずれの矩形部にいずれの文字又は画像を印刷するかについては、図４に示したバリエーションが２４（＝４！）通りあり、３音節の単語を中央矩形部１の表面／裏面のいずれに印刷するかが３通りあるので、７２（＝２４×３）通りのうちのいずれであるかの指定となる。
【００５７】
また、（６）矩形部の外形線を表面、裏面のそれぞれに描くか否かについては、例えば裏面のみに描き表面には描かないこととしても、印刷された紙を国語学習用カードの形状に切り取り、折畳むことができる。表面のみに描いても同様である。なお、両面に印刷する場合、プリンタによっては表面と裏面の座標が厳密には一致しないことがある。特に、紙送り方向である縦方向は座標のずれが発生しやすい。このため、表面又は裏面の一方のみに描くことが好ましい。
【００５８】
必要なデータのうち、（１）３音節の単語を表す画像、（２）３音節の単語を表す表音文字については、ユーザが入力する。（３）各矩形部のサイズ及び位置、（４）いずれの矩形部にいずれの文字又は画像を印刷するか、（５）中央矩形部１に印刷される３音節の単語の縦書き／横書きの別、（６）矩形部の外形線を表面、裏面のそれぞれに描くか否かについては、ユーザが入力することとしても、ユーザの入力によらずに固定された所定のものとしても、固定された所定のものの一部のデータをユーザが書き換えることとしてもよい。
【００５９】
以下、（４）いずれの矩形部にいずれの文字又は画像を印刷するかについては図３（図５（Ａ））のとおりとし、矩形部の外形線を裏面のみに描くものとして、説明する。他の場合についても、同様に処理することができる。
【００６０】
表面については、単語文字列を、中央矩形部１の座標内に収まるようにフォントサイズを決め、中央矩形部１に配置する（ステップ４ａ１）。ただし、単語文字列が裏面のみに印刷される場合（図６）には、ステップ４ａ１は省略される。このように省略される可能性のあるステップ（４ａ１、４ｂ１、４ａ２及び４ｂ２）には、図中で条件分岐処理をしている。
【００６１】
矩形部の外形線（直線）を配置する（ステップ４ｂ１）が、矩形部の外形線を裏面のみに描くので、ステップ４ｂ１は省略される。
【００６２】
以上で、表面データが完成する。（図１２（Ａ）参照。）
【００６３】
裏面については、まず、単語文字列と第１〜３音節を表す文字とを求める。（２）３音節の単語を表す表音文字が、各々の音節に分解した文字の集合体であれば、第１〜３音節を表す文字がデータとして存在し、文字を結合して得られる文字列を単語文字列とする。一連の１つの文字列であれば、単語文字列がデータとして存在し、これを音節単位に分解して第１〜３音節を表す文字とする。通常は、１文字が１音節である。拗音については、２文字が１音節となる。
【００６４】
この後、第１〜３音節を表す文字を矩形部に配置するが、２文字を配置される矩形部では文字が小さくなるので、すべての矩形部で同大の文字となるよう、文字の大きさを予め決定することが好ましい。
【００６５】
次に、第１〜３音節を表す文字を、上方矩形部２ｂ、左方矩形部２ｃ、下方矩形部２ｄに配置する。
【００６６】
次に、画像を右方矩形部２ａに配置する。画像が右方矩形部２ａにちょうど収まるように拡大又は縮小すればよい。
【００６７】
次に、単語文字列を、中央矩形部１の座標内に収まるようにフォントサイズを決め、中央矩形部１に配置する（ステップ４ａ２）が、単語文字列は表面のみに印刷されるので、ステップ４ａ２は省略される。なお、フォントサイズについてはユーザの指定によるものとしてもよい。（図１２（Ｃ）参照。）
【００６８】
最後に、矩形部の外形線（直線）を配置する（ステップ４ｂ２）。なお、矩形部の外形線を表面のみに描く場合には、ステップ４ｂ２は省略される
【００６９】
以上で、裏面データが完成する。（図１１参照。）
【００７０】
コンピュータプログラムは、表面データと裏面データとを出力する。（図１２（Ｂ）参照。）出力は、例えば両面印刷するものとできる。印刷された紙を矩形領域に沿って切り取ることで、国語学習用カードが作成される。
【００７１】
両面印刷によらずに片面印刷により２枚の紙に印刷するものとしてもよい。その場合、ケント紙等のしっかりした厚手の紙の表裏に印刷された２枚の紙を貼付して国語学習用カードを作成することができる。
【００７２】
この場合、厚みを考慮して接続矩形部を設けることが好ましい。図１３は、矩形部のサイズ及び矩形部の位置の例を示す図である。上述のように印刷するものとし、接続矩形部３ｄがなく、接続矩形部３ｃは厚みと同じ幅、接続矩形部３ｂは厚みの２倍の幅、接続矩形部３ａは厚みの３倍の幅とする。右方矩形部２ａ、上方矩形部２ｂ、左方矩形部２ｃを、折畳んだ時に間に入る紙の枚数に対応して中央矩形部１に対して上方に浮かせることができる。カードの厚みが大きい場合にも、自然に折畳むことができ、厚紙を用いてしっかりしたカードとすることができる。なお、折畳む作業が容易になるよう、接続矩形部３ｂの幅を図１３よりも若干（１ｃｍ以下）大きくすることが、好ましい。
【００７３】
出力は、また、印刷せずに例えばｐｄｆ形式のファイルを出力するものとしてもよい。ユーザが、後に印刷する。この場合、ユーザの判断で、１枚の紙の両面に印刷するか、２枚の紙に印刷するかを決定することができる。
【００７４】
なお、出力が２枚の紙に印刷する場合、及びファイルを出力する場合であってユーザが２枚の紙に印刷すると想定される場合には、矩形部の外形線を表面と裏面の双方に描くことが好ましい。ファイルを出力する場合には、ユーザが１枚の紙の両面に印刷するか、２枚の紙に印刷するか不定であり、（６）矩形部の外形線を表面、裏面のそれぞれに描くか否かをユーザが入力する形式が好ましい。
【００７５】
以上、１つの国語学習用カードを印刷するものとして説明した。しかし、２つ以上の国語学習用カードに係るデータを例えば表計算ソフトウエアのファイル形式で一括入力して、２つ以上の国語学習用カードを印刷することも可能である。
【００７６】
コンピュータプログラムによれば、単語を表す画像と単語を表す表音文字とのデータを用意するのみで国語学習用カードを作成することができるので、教育者は、学習させたい単語についてのカードを教育目的に合わせて自ら作成することができる。また、印刷枚数を調整して、学習者（生徒）の人数分だけ作成することもできる。
【産業上の利用可能性】
【００７７】
本発明の国語学習用カードは、容易な操作によって表音文字で表される単語についての文字（音）と単語の関係を学習することができる。本発明のコンピュータプログラムは、本発明の国語学習用カードを容易に作成することができる。多くの教育機関や個人における利用が考えられる。
【符号の説明】
【００７８】
Ｃ    国語学習用カード
１    中央矩形部
２ａ  右方矩形部
２ｂ  上方矩形部
２ｃ  左方矩形部
２ｄ  下方矩形部
３ａ  接続矩形部
３ｂ  接続矩形部
３ｃ  接続矩形部
３ｄ  接続矩形部
【図１】
2020026125.tif 000003
【図２】
2020026125.tif 000004
【図３】
2020026125.tif 000005
【図４】
2020026125.tif 000006
【図５】
2020026125.tif 000007
【図６】
2020026125.tif 000008
【図７】
2020026125.tif 000009
【図８】
2020026125.tif 000010
【図９】
2020026125.tif 000011
【図１０】
2020026125.tif 000012
【図１１】
2020026125.tif 000013
【図１２】
2020026125.tif 000014
【図１３】
2020026125.tif 000015
【手続補正書】
【提出日】令和1年5月19日(2019.5.19)
【手続補正１】
【補正対象書類名】特許請求の範囲
【補正対象項目名】全文
【補正方法】変更
【補正の内容】
【特許請求の範囲】
【請求項１】
中央矩形部と、
前記中央矩形部の右辺にその左辺を近接する前記中央矩形部と同大同形の右方矩形部と、
前記中央矩形部の上辺にその下辺を近接する前記中央矩形部と同大同形の上方矩形部と、
前記中央矩形部の左辺にその右辺を近接する前記中央矩形部と同大同形の左方矩形部と、
前記中央矩形部の下辺にその上辺を近接する前記中央矩形部と同大同形の下方矩形部とを備え、
前記中央矩形部の表面、裏面又はその両方に３音節の単語が表音文字で印刷され、
前記右方矩形部、前記上方矩形部、前記左方矩形部及び前記下方矩形部の裏面に、前記３音節の単語を表す画像、前記３音節の単語の第１音節を表す表音文字、前記３音節の単語の第２音節を表す表音文字及び前記３音節の単語の第３音節を表す表音文字が１つずつ印刷され、
前記上方矩形部及び前記下方矩形部の印刷は上下逆にされていることを特徴とする、国語学習用カード。
【請求項２】
前記右方矩形部、前記上方矩形部、前記左方矩形部及び前記下方矩形部は、前記中央矩形部に１辺の全てを接していることを特徴とする、請求項１に記載の国語学習用カード。
【請求項３】
前記右方矩形部、前記上方矩形部、前記左方矩形部及び前記下方矩形部の前記３音節の単語を表す画像の印刷されるものを含む少なくとも１と、前記中央矩形部との間に、短辺の長さがカードの厚みの３倍に１ｃｍを加えた値以下であり、長辺が前記中央矩形部と前記右方矩形部、前記上方矩形部、前記左方矩形部又は前記下方矩形部に接する接続矩形部を備えることを特徴とする、請求項１に記載の国語学習用カード。
【請求項４】
前記中央矩形部、前記右方矩形部、前記上方矩形部、前記左方矩形部及び前記下方矩形部は、正方形形状であることを特徴とする、請求項１〜３のいずれか１項に記載の国語学習用カード。
【請求項５】
前記３音節の単語を表す画像及び前記３音節の単語の第２音節を表す表音文字は、前記上方矩形部及び前記下方矩形部、又は、前記左方矩形部及び前記右方矩形部に印刷されることを特徴とする、請求項１〜４のいずれか１項に記載の国語学習用カード。
【請求項６】
前記３音節の単語を表す画像は前記右方矩形部に、前記３音節の単語の第１音節を表す表音文字は前記上方矩形部に、前記３音節の単語の第２音節を表す表音文字は前記左方矩形部に、前記３音節の単語の第３音節を表す表音文字は前記下方矩形部に、それぞれ印刷されることを特徴とする、請求項５に記載の国語学習用カード。